(57)【特許請求の範囲】
【請求項１】
各々がＮ個（Ｎ：複数）の色のいずれか１つを有する複数の色要素が割り当てられた色フィルタ、
複数の画素が割り当てられたイメージャ、および
前記イメージャに駆動パルスを供給する供給手段を備え、
前記複数の色要素は各々が複数の水平色要素ラインとＮ個の垂直色要素列とを有する複数の色ブロックに区分され、
前記複数の画素は各々が複数の水平画素ラインとＮ個の垂直画素列とを有する複数の画素ブロックに区分され、
前記Ｎ個の垂直色要素列は互いに異なる色を有するＮ個の色要素をそれぞれ含み、
前記複数の水平画素ラインは前記複数の水平色要素ラインにそれぞれ対応し、
前記Ｎ個の垂直画素列は前記Ｎ個の垂直色要素列にそれぞれ対応し、
前記駆動パルスは、前記Ｎ個の垂直画素列から画素信号を間引き態様で読み出す読み出しパルス、前記読み出しパルスによって読み出された画素信号を垂直方向に転送する垂直転送パルス、および前記垂直転送パルスによって転送された画素信号を前記複数の水平画素ラインに相当する垂直転送が行われる毎に水平方向に転送する水平転送パルスを含み、前記Ｎ個の垂直画素列から読み出し先として選択される画素に対応する色要素の色は垂直画素列毎に異なる、撮像装置。
【請求項２】
１つの画素ブロックを形成する１つの垂直画素列から１画素分の画素信号を読み出すようにした、請求項１記載の撮像装置。
【請求項３】
前記Ｎ個の垂直色要素列の各々は同じ色の色要素を２つ以上有し、
前記複数の垂直画素列の各々から複数画素分の画素信号を読み出すようにした、請求項１記載の撮像装置。
【請求項４】
読み出し先の画素を含む水平画素ライン間の距離が均一となるように前記複数の画素ブロックの各々から画素信号を読み出すようにした、請求項１ないし３のいずれかに記載の撮像装置。
【請求項５】
前記Ｎ個の色はＧ，Ｍｇ，ＹｅおよびＣｙであり、
前記Ｇおよび前記Ｍｇの色要素が奇数番目の水平色要素ラインおよび偶数番目の水平色要素ラインの一方に交互に設けられ、前記Ｙｅおよび前記Ｃｙの色要素が前記奇数番目の水平色要素ラインおよび前記偶数番目の水平色要素ラインの他方に交互に設けられる、請求項１ないし４のいずれかに記載の撮像装置。
【請求項６】
請求項１ないし５のいずれかに記載の撮像装置を備える、ディジタルカメラ。
【発明の詳細な説明】
【０００１】
【産業上の利用分野】
この発明は、撮像装置に関し、特にたとえばディジタルカメラに適用され、ＣＣＤイメージャから複数の画素信号を間引き出力する、撮像装置に関する。
この発明はまた、上述の撮像装置を備える、ディジタルカメラに関する。
【０００２】
【従来の技術】
図３２を参照して、従来の撮像装置では、Ｙｅ，Ｃｙ，ＭｇおよびＧの色成分を持つ補色フィルタがＣＣＤイメージャの前面に装着され、２画素×８ラインの画素ブロックからそれぞれの補色成分を含む画素信号が読み出されていた。つまり、各画素ブロックの第１ラインからＧおよびＭｇの画素信号が読み出され、第６ラインからＹｅおよびＣｙの画素信号が読み出されていた。なお、読み出された画素信号は補間処理を施され、この結果、各画素がすべての色成分をもつ間引き画像信号が生成される。
【０００３】
【発明が解決しようとする課題】
しかし、このような従来技術では、各画素ブロックに対して２回の水平転送が必要となり、画素信号の出力に時間がかかるという問題があった。このような問題は、間引き画像の解像度を向上させるために各画素ブロックから読み出す画素信号を増やすほど、顕著化していた。
【０００４】
それゆえに、この発明の主たる目的は、画素信号の出力に要する時間を短縮できる、撮像装置を提供することである。
この発明の他の目的は、多くの画素信号を短時間で出力することができる、撮像装置を提供することである。
この発明のその他の目的は、画像の生成に要する時間を短縮できる、ディジタルカメラを提供することである。
【０００５】
この発明のさらにその他の目的は、解像度が向上した画像を短時間で生成することができる、ディジタルカメラを提供することである。
【０００６】
【課題を解決するための手段】
この発明に従う撮像装置は、各々がＮ個（Ｎ：複数）の色のいずれか１つを有する複数の色要素が割り当てられた色フィルタ、複数の画素が割り当てられたイメージャ、およびイメージャに駆動パルスを供給する供給手段を備え、複数の色要素は各々が複数の水平色要素ラインとＮ個の垂直色要素列とを有する複数の色ブロックに区分され、複数の画素は各々が複数の水平画素ラインとＮ個の垂直画素列とを有する複数の画素ブロックに区分され、Ｎ個の垂直色要素列は互いに異なる色を有するＮ個の色要素をそれぞれ含み、複数の水平画素ラインは複数の水平色要素ラインにそれぞれ対応し、Ｎ個の垂直画素列はＮ個の垂直色要素列にそれぞれ対応し、駆動パルスは、Ｎ個の垂直画素列から画素信号を間引き態様で読み出す読み出しパルス、読み出しパルスによって読み出された画素信号を垂直方向に転送する垂直転送パルス、および垂直転送パルスによって転送された画素信号を複数の水平画素ラインに相当する垂直転送が行われる毎に水平方向に転送する水平転送パルスを含み、Ｎ個の垂直画素列から読み出し先として選択される画素に対応する色要素の色は垂直画素列毎に異なる。
【０００８】
【作用】
色フィルタに割り当てられた複数の色要素の各々は、Ｎ個（Ｎ：複数）の色のいずれか１つを有する。かかる複数の色要素は、各々が複数の水平色要素ラインとＮ個の垂直色要素列とを有する複数の色ブロックに区分される。また、イメージャに割り当てられた複数の画素は、各々が複数の水平画素ラインとＮ個の垂直画素列とを有する複数の画素ブロックに区分される。ここで、Ｎ個の垂直色要素列は、互いに異なる色を有するＮ個の色要素をそれぞれ含む。また、複数の水平画素ラインは複数の水平色要素ラインにそれぞれ対応し、Ｎ個の垂直画素列はＮ個の垂直色要素列にそれぞれ対応する。
イメージャには、供給手段によって駆動パルスが供給される。この駆動パルスには、Ｎ個の垂直画素列から画素信号を間引き態様で読み出す読み出しパルス、読み出しパルスによって読み出された画素信号を垂直方向に転送する垂直転送パルス、および垂直転送パルスによって転送された画素信号を複数の水平画素ラインに相当する垂直転送が行われる毎に水平方向に転送する水平転送パルスが含まれる。Ｎ個の垂直画素列から読み出し先として選択される画素に対応する色要素の色は、垂直画素列毎に異なる。
【００１３】
【発明の効果】
この発明によれば、出力に要する時間を従来よりも短縮することができる。
【００１４】
この発明の上述の目的，その他の目的，特徴および利点は、図面を参照して行う以下の実施例の詳細な説明から一層明らかとなろう。
【００１５】
【実施例】
図１を参照して、この実施例のディジタルカメラ１０は、光学レンズ１２を含む。光学レンズ１２を経た被写体の光像は、撮像装置１４に設けられたインターライン転送方式ＣＣＤイメージャ１６に上下逆向きの状態で照射される。ＣＣＤイメージャ１６の受光面には、図２に示す補色フィルタ１６ａが装着され、各受光素子（センサ）ではＹｅ，Ｃｙ，ＭｇおよびＧのいずれかの色成分を持つ画素信号が生成される。
【００１６】
モニタ３６にリアルタイムの動画像（スルー画像）を表示するカメラモードでは、タイミングジェネレータ（ＴＧ）１８は、画素信号の間引き読み出しを行う。このため、特定の受光素子で生成された画素信号だけがＣＣＤイメージャ１６から読み出され、ＣＤＳ／ＡＧＣ回路２４に与えられる。ＣＤＳ／ＡＧＣ回路２４では周知のノイズ除去およびレベル調整が施され、このような処理を施された画素信号が、Ａ／Ｄ変換器２６でディジタル信号である画素データに変換される。
【００１７】
画素データは、ディジタルクランプ回路２８を介してメモリ３０に格納され、その後読み出される。読み出された画素データは、直接およびラインメモリ３２ａ〜３２ｃを経て信号処理回路３４ａに入力される。信号処理回路３４ａは、このような画素データに補間処理を施し、各画素が４つの色成分をすべて含む画素データを生成する。信号処理回路３４はまた、補間処理が施された画素データにＲＧＢ変換およびＹＵＶ変換を施し、これによって得られたＹＵＶデータをモニタ３６に出力する。この結果、スルー画像がモニタ３６に表示される。
【００１８】
なお、オペレータによってシャッタボタン（図示せず）が押されると、ＴＧ１はいわゆる全画素読み出しを行う。この結果、カメラモードよりも解像度が向上した静止画像が得られる。
ＣＣＤイメージャ１６には、図２に示す補色フィルタ１６ａが装着される。補色フィルタ１６ａは、Ｙｅ，Ｃｙ，ＭｇおよびＧの色成分を含み、これらの色成分はＣＣＤイメージャ１６の画素にそれぞれ対応する。つまり、ＣＣＤイメージャ１６の各受光素子では、いずれか１つの色成分だけを持つ画素信号が生成される。図２の補色フィルタ１６ａを水平方向に眺めると、奇数ラインではＧおよびＭｇが１画素毎に交互に配置され、偶数ラインではＹｅおよびＣｙが１画素毎に交互に配置される。また、補色フィルタ１６ａを垂直方向に眺めると、奇数列にはＧおよびＹｅが１画素毎に交互に配置され、偶数列にはＭｇおよびＣｙが１画素毎に交互に配置される。つまり、補色フィルタ１６ａには、垂直方向２画素および水平方向２画素のマトリクス（２×２マトリクス）が複数形成される。このような補色フィルタ１６ａが、ＣＣＤイメージャ１６に装着される。
【００１９】
図５を参照して、この実施例では、補色フィルタ１６ａを８ライン×４列の色ブロックＣＢ１の集まりと考え、かつＣＣＤイメージャ１６を色ブロックＣＢ１に対応する画素ブロックＰＢ１の集まりと考える。各ブロックのそれぞれの列に全ての種類の色成分が少なくとも１つずつ割り当てられ、このようなブロックに対して、共通の処理が施される。具体的には、各ブロックの１ライン目で１列目および２列目の画素信号が読み出され、６ライン目で３列目および４列目の画素信号が読み出される。読み出された画素信号はそれぞれ、Ｇ，Ｍｇ，ＹｅおよびＣｙの色成分を有する。このような画素信号が垂直方向に転送され、４つの画素信号が水平転送レジスタに揃った時点で、まとめて水平方向に転送される。この結果、１回の水平転送によって、同じブロックから得られたＧ，Ｍｇ，ＹｅおよびＣｙの画素信号がＣＣＤイメージャ１６から出力される。
【００２０】
図６（Ａ）および図６（Ｂ）に示すように、各受光素子には２つの垂直転送レジスタが割り当てられる。各垂直転送レジスタには、駆動パルスＶ１ａ，Ｖ１ｂ，Ｖ２，Ｖ３ａ，Ｖ３ｂおよびＶ４のいずれか１つが与えられる。これらの駆動パルスはすべて、ＴＧ１８から出力された垂直転送パルスおよび電荷読み出しパルスに基づいて、Ｖドライバ２０によって生成される。
【００２１】
図６（Ａ）から分かるように、１列目および２列目のＧ／Ｍｇ画素については、一方の垂直転送レジスタに駆動パルスＶ１ａまたはＶ１ｂが与えられ、他方の垂直転送レジスタに駆動パルスＶ２が与えられる。１列目および２列目のＹｅ／Ｃｙ画素については、一方の垂直転送レジスタに駆動パルスＶ３ａが与えられ、他方の垂直転送レジスタに駆動パルスＶ４が与えられる。駆動パルスＶ１ａおよびＶ１ｂは選択的にＧ／Ｍｇ画素に与えられる。この実施例において駆動パルスＶ１ｂが与えられる画素は、各ブロックの１ライン目に限られる。なお、１列目および２列目では、駆動パルスＶ３ｂが用いられることはない。
【００２２】
図６（Ｂ）を参照して、３列目および４列目では、駆動パルスＶ１ｂ以外の駆動パルスが所定の垂直転送レジスタに与えられる。つまり、Ｇ／Ｍｇ画素の一方の垂直転送レジスタに駆動パルスＶ１ａが与えられ、他方の垂直転送レジスタに駆動パルスＶ２が与えられる。また、Ｙｅ／Ｃｙ画素の一方の垂直転送レジスタに駆動パルスＶ３ａまたはＶ３ｂが与えられ、他方の垂直転送レジスタに駆動パルスＶ４が与えられる。この実施例では、３列目および４列目の６ライン目のＹｅ／Ｃｙ画素が間引き読み出しの対象となるため、この６ライン目の画素にのみ駆動パルスＶ３ｂが与えられる。
【００２３】
全画素読み出しおよび間引き読み出しを可能とするために、第１列および第２列におけるＧ／Ｍｇ画素の一方の垂直転送レジスタに２種類の駆動パルスＶ１ａおよびＶ１ｂが割り当てられ、第３列および第４列におけるＹｅ／Ｃｙ画素の一方の垂直転送レジスタに２種類の駆動パルスＶ３ａおよびＶ３ｂが割り当てられる。駆動パルスＶ１ｂおよびＶ３ｂは、間引き読み出しの対象となるＧ／Ｍｇ画素およびＹｅ／Ｃｙ画素にそれぞれ割り当てられる。このように駆動パルスＶ１ａおよびＶ１ｂならびに駆動パルスＶ３ａおよびＶ３ｂを割り当てる点は、以下の他の実施例でも同じである。
【００２４】
駆動パルスＶ１ａ，Ｖ１ｂ，Ｖ２，Ｖ３ａ，Ｖ３ｂおよびＶ４は、図７（Ａ）に示すように変化する。期間▲１▼では、駆動パルスＶ３ａおよびＶ３ｂがゼロレベルをとり、残りの駆動パルスはすべて−レベルをとる。期間▲２▼では、駆動パルスＶ３ｂおよびＶ４がそれぞれ＋レベルおよびゼロレベルに変化する。この結果、図７（Ｂ）に示すように、各ブロックの第３列および第４列における第６ラインから、画素信号が読み出される。つまり、第６ラインの一方の垂直転送レジスタに電荷が読み出され、読み出された電荷は第６ラインの２つの垂直転送レジスタに蓄積される。期間▲３▼では、駆動パルスＶ１ａ，Ｖ１ｂおよびＶ３ｂがゼロレベルに変化する。これによって、電荷の読み出しが中止されるとともに、第６ラインから読み出された電荷が、第５ラインに対応する一方の垂直転送レジスタにも蓄積される。
【００２５】
駆動パルスＶ１ｂは期間▲４▼で＋レベルとなり、この結果、図７（Ｂ）に示すように、第１列および第２列の第１ラインから画素信号が読み出される。つまり、第１ラインに対応する一方の垂直転送レジスタに電荷が読み出される。このとき、駆動パルスＶ３ａおよびＶ４はゼロレベルであるため、読み出された電荷は、第２ラインに対応する２つの垂直転送レジスタにも蓄積される。期間▲５▼になると駆動パルスＶ１ｂはゼロレベルとなり、電荷の読み出しは中止される。このようにして第１列および第２列の第１ラインならびに第３列および第４列の第６ラインから読み出された画素信号は、期間▲５▼以降に個別に垂直転送される。なお、駆動パルスＶ１ｂおよびＶ３ｂは、ＴＧ１８から出力される電荷読み出しパルスがハイレベルとなったときに＋レベルとなる。
【００２６】
各ブロックの垂直画素数に相当する距離の垂直転送が完了する毎に、図４（Ｂ）に示す駆動パルスＨ１およびＨ２がＨドライバ２２から出力される。駆動パルスＨ１およびＨ２は互いに逆極性をとり、一方がハイレベルのときは他方がローレベルとなる。図４（Ａ）に示すように、駆動パルスＨ１は、垂直転送レジスタの端部に設けられた水平転送レジスタに与えられる。また、駆動パルスＨ２はセンサの端部に設けられた水平転送レジスタに与えられる。駆動パルスＨ１およびＨ２は、１ブロック分の垂直転送が完了した時点でレベル変動を開始し、これによって画素信号が水平転送される。つまり、各ブロックで生成された画素信号が、まとめて水平転送される。
【００２７】
上述の信号処理回路３４ａでは、このようにして出力された画素信号に対応する画素データに補間処理が施され、この結果、各画素がすべての色成分を持つ間引き画像データが生成される。
この実施例によれば、各ブロックに対する水平転送処理は１回でよいため、画素信号の読み出しに要する時間を従来よりも短縮することができる。つまり、ＣＣＤイメージャ１６の画素数が従来と同じ場合、読み出し時間は従来の１／２となる。
【００２８】
図１に示すＣＣＤイメージャ１６の変形例を図８〜図１０に示す。この実施例でも、ＣＣＤイメージャ１６には補色フィルタ１６ａが装着され、この補色フィルタ１６ａを８ライン×４列の色ブロックＣＢ１の集まりと考える。したがって、ＣＣＤイメージャ１６についても色ブロックＣＢ１に対応する画素ブロックＰＢ１の集まりと考える。但し、この実施例では、各ブロックの第１ラインおよび第５ラインで第１列および第２列の画素信号が読み出され、第２ラインおよび第６ラインで３列目および４列目の画素信号が読み出される。つまり、各ブロックから、Ｇ，Ｍｇ，ＹｅおよびＣｙの画素信号が２つずつ読み出される。読み出された画素信号は、個別に垂直方向に転送され、水平転送レジスタに蓄積される。水平転送は、８ライン分の垂直転送が完了する毎に１回行われる。このため、同じ色成分をもつ画素信号どうしが、水平転送レジスタで混合される。１回の水平転送で出力される画素信号の色成分は、図１実施例と同様にＧ，Ｍｇ，ＹｅおよびＣｙの順序で変化するが，各画素信号のレベルは図１実施例のほぼ２倍となる。
【００２９】
図９（Ａ）および図９（Ｂ）を参照して、この実施例でも、各受光素子には２つの垂直転送レジスタが割り当てられ、各垂直転送レジスタに駆動パルスＶ１ａ，Ｖ１ｂ，Ｖ２，Ｖ３ａ，Ｖ３ｂおよびＶ４のいずれか１つが与えられる。
但し、第１列および第２列では第１ラインおよび第５ラインから画素信号を読み出す必要があるため、図９（Ａ）から分かるように、駆動パルスＶ１ａは第３ラインおよび第７ラインのＧ／Ｍｇ画素に与えられ、駆動パルスＶ１ｂは第１ラインおよび第５ラインのＧ／Ｍｇ画素に与えられる。また、第３列および第４列では第２ラインおよび第６ラインから画素信号を読み出す必要があるため、図９（Ｂ）に示すように、駆動パルスＶ３ａが第４ラインおよび第８ラインに与えられ、駆動パルスＶ３ｂｇａ第２ラインおよび第６ラインに与えられる。
【００３０】
駆動パルスＶ１ａ，Ｖ１ｂ，Ｖ２，Ｖ３ａ，Ｖ３ｂおよびＶ４は、図１０（Ａ）に示すように変化する。この変化は、図７（Ａ）と全く同じである。但し、図１実施例と異なり、駆動パルスＶ１ｂは第１列および第２列の第５ラインにも与えられ、駆動パルスＶ３ｂも第３列および第４列の第２ラインに与えられる。このため、図１０（Ｂ）および図１０（Ｃ）に示すように、第１列および第２列の第５ラインならびに第３列および第４列の第２ラインからも電荷が読み出される。そして、それぞれの電荷が、期間▲５▼以降に個別に垂直転送される。
【００３１】
各ブロックから読み出された画素信号が水平転送レジスタに蓄積される毎に、図４（Ｂ）に示す駆動パルスＨ１およびＨ２が水平転送レジスタに与えられる。この駆動パルスＨ１およびＨ２に応答して、画素信号が水平方向に転送される。つまり、各ブロックで生成された４画素分の画素信号が、まとめて水平転送される。信号処理回路３４ａは、図１実施例と同様の補間処理を行い、この結果、各画素がすべての色成分を持つ間引き画像データが生成される。
【００３２】
この実施例によれば、各ブロックに対する水平転送処理を１回に減らすことができるだけでなく、各画素信号のレベルを従来の２倍に向上させることができる。
図１１〜図１３に、ＣＣＤイメージャ１６の他の変形例を示す。このＣＣＤイメージャ１６にもまた、補色フィルタ１６ａが装着される。しかし、補色フィルタ１６ａは、４ライン×４列の色ブロックＣＢ２の集まりと考え、ＣＣＤイメージャ１６は色ブロックＣＢ２に対応する画素ブロックＰＢ２の集まりと考える。各ブロックに対しては、共通の処理が施される。つまり、各ブロックの１ライン目で１列目および２列目の画素信号が読み出され、２ライン目で３列目および４列目の画素信号が読み出される。読み出された画素信号はそれぞれ、Ｇ，Ｍｇ，ＹｅおよびＣｙの色成分を有し、このような画素信号が垂直方向に転送される。４つの画素信号が水平転送レジスタに揃った時点で、つまり４ライン分の垂直転送が完了した時点で、これらの画素信号がまとめて水平方向に転送される。この結果、１回の水平転送によって出力される画素信号に、Ｇ，Ｍｇ，ＹｅおよびＣｙの色成分が繰り返し含まれる。
【００３３】
図１２（Ａ）に示すように、１列目および２列目では、１ライン目のＧ／Ｍｇ画素に駆動パルスＶ１ｂが与えられ、３ライン目のＧ／Ｍｇ画素に駆動パルスＶ１ａが与えられる。また、図１２（Ｂ）に示すように、３列目および４列目では、２ライン目のＹｅ／Ｃｙ画素に駆動パルスＶ３ｂが与えられ、４ライン目のＹｅ／Ｃｙ画素に駆動パルスＶ３ａが与えられる。
【００３４】
駆動パルスＶ１ａ，Ｖ１ｂ，Ｖ２，Ｖ３ａ，Ｖ３ｂおよびＶ４は、図１３（Ａ）に示すように変化する。この変化は、図１０（Ａ）と全く同じである。この実施例と図８〜図１０実施例とは、ブロックの考え方が異なるものの、読み出しの対象となる画素は同じである。このため、図１３（Ｂ）および図１３（Ｃ）に示す電荷の読み出しタイミングおよび電荷の転送タイミングは、図１０（Ｂ）および図１０（Ｃ）と全く同じである。
【００３５】
但し、上述のようにブロックの考え方が相違するため、水平転送は、図８〜図１０実施例と異なるタイミングで行われる。つまり、図８実施例では、画素信号が８ライン分垂直転送される毎に水平転送が行われるが、この実施例における水平転送は、図４（Ｂ）に示す駆動パルスＨ１およびＨ２に応答して、４ライン分の垂直転送が完了する毎に行われる。
【００３６】
信号処理回路３４ａでは、上述と同様の補間処理が行われ、この結果、各画素がすべての色成分を持つ間引き画像データが生成される。
この実施例によれば、水平転送の回数が増えるため画素信号の読み出し時間は長くなるが、間引き画像信号の垂直解像度を従来の２倍に向上させることができる。
【００３７】
図１４〜図１６に、ＣＣＤイメージャ１６のさらにその他の変形例を示す。ＣＣＤイメージャ１６には、上述と同様に補色フィルタ１６ａが装着される。さらに、補色フィルタ１６ａは、４ライン×４列の色ブロックＣＢ２の集まりと考えられ、ＣＣＤイメージャ１６は、色ブロックＣＢ２に対応する画素ブロックＰＢ２の集まりと考えられる。そして、各ブロックに対して共通の処理が施される。但し、各ブロックの第１ラインおよび第３ラインで第１列および第２列の画素信号が読み出され、第２ラインおよび第４ラインで３列目および４列目の画素信号が読み出される。読み出された画素信号はそれぞれ、Ｇ，Ｍｇ，ＹｅおよびＣｙの色成分を有する。このような画素信号が垂直方向に転送され、４ライン分の垂直転送が完了した時点で、これらの画素信号がまとめて水平方向に転送される。このため、同じ色成分を持つ画素信号どうしが水平転送レジスタで混合され、その後ＣＣＤイメージャ１６から出力される。各画素信号のレベルは、図１１〜図１３実施例のほぼ２倍となる。
【００３８】
各ブロックの第１列および第２列では、図１５（Ａ）に示すように、すべてのＧ／Ｍｇ画素に駆動パルスＶ１ｂが与えられ、駆動パルスＶ１ａが用いられることはない。一方、第３列および第４列では、図１３（Ｂ）に示すように、駆動パルスＶ３ｂがすべてのＹｅ／Ｃｙ画素に与えられ、駆動パルスＶ３ａは用いられない。
【００３９】
駆動パルスＶ１ａ，Ｖ１ｂ，Ｖ２，Ｖ３ａ，Ｖ３ｂおよびＶ４は、図１６（Ａ）に示すように変化し、この変化は図１３（Ａ）と全く同じである。しかし、駆動パルスＶ１ｂが第１列および第２列のすべてのＧ／Ｍｇ画素に与えられるため、電荷は、図１６（Ｂ）に示すように第１ラインおよび第３ラインの両方から読み出される。また、駆動パルスＶ３ｂが第３列および第４列のすべてのＹｅ／Ｃｙ画素に与えられるため、電荷は、図１６（Ｃ）に示すように第２ラインおよび第４ラインの両方から読み出される。
【００４０】
読み出された電荷は個別に垂直転送され、その後、図４（Ｂ）に示す駆動パルスＨ１およびＨ２に応答して４ラインに１回のタイミングで水平転送される。つまり、互いに同じ色成分を持つ画素信号が水平転レジスタで混合されてから、混合画素信号が出力される。出力される画素信号の色成分がＧ，Ｍｇ，ＹｅおよびＣｙの順で変化する点は、上述の実施例と同じである。出力された画素信号に対応する画素データは、信号処理回路３４ａで補間処理を施され、この結果、各画素がすべての色成分を持つ間引き画像データが生成される。
【００４１】
この実施例によれば、水平転送の回数が増えるため画素信号の読み出し時間は長くなるが、画素信号のレベルおよび間引き画像データの垂直解像度を従来の２倍に向上させることができる。また、ＧおよびＭｇの画素信号を読み出すラインとＹｅおよびＣｙの画素信号を読み出すラインとの距離が均一であるため、折り返し特性が一定となり、フィルタリングが容易になる。
【００４２】
図１７〜図１９を参照して、他の変形例のＣＣＤイメージャ１６には、図３に示す補色フィルタ１６ｂが装着される。補色フィルタ１６ｂは、補色フィルタ１６ａと同様にＹｅ，Ｃｙ，ＭｇおよびＧの色成分を含み、かつこれらの色成分はＣＣＤイメージャ１６の画素にそれぞれ対応する。この補色フィルタ１６ｂを水平方向に眺めたとき、奇数ラインにＧおよびＭｇが１画素毎に交互に配置され、偶数ラインにＹｅおよびＣｙが１画素毎に交互に配置される点は、補色フィルタ１６ａと同じである。しかし、奇数ラインにおけるＭｇおよびＧの位置が、各奇数ラインで反転している。つまり、注目する奇数ラインに配置された色成分がＭｇ，Ｇ，Ｍｇ，Ｇ…と変化する場合、先行する奇数ラインおよび後続の奇数ラインに配置された色成分は、Ｇ，Ｍｇ，Ｇ，Ｍｇ…と変化する。このため、補色フィルタ１６ｂを垂直方向に眺めると、奇数列ではＧ，Ｙｅ，ＭｇおよびＹｅの順で色成分が配置され、偶数列ではＭｇ，Ｃｙ，ＧおよびＣｙの順で色成分が配置される。つまり、補色フィルタ１６ｂには、垂直方向２画素および水平方向４画素のマトリクス（２×４マトリクス）が複数形成されている。このような補色フィルタ１６ｂが、ＣＣＤイメージャ１６に装着される。
【００４３】
図１７を参照して、この実施例では、補色フィルタ１６ｂを８ライン×４列の色ブロックＣＢ１の集まりと考え、ＣＣＤイメージャ１６を色ブロックＣＢ１に対応する画素ブロックＰＢ１の集まりと考える。各ブロックの第１ラインでは第１列および第２列の画素信号が読み出され、第６ラインでは３列目および４列目の画素信号が読み出される。つまり、各ブロックから、Ｇ，Ｍｇ，ＹｅおよびＣｙの画素信号が１つずつ読み出される。読み出された画素信号は、個別に垂直方向に転送され、水平転送レジスタに蓄積される。水平転送は、８ライン分の垂直転送が完了する毎に１回行われ、この結果、１回の水平転送で出力される画素信号の色成分は、Ｇ，Ｍｇ，ＹｅおよびＣｙの順序で変化する。
【００４４】
図１８（Ａ）に示すように、第１列および第２列において、駆動パルスＶ１ｂは第１ラインのＧ／Ｍｇ画素にのみ与えられる。また、第３列および第４列では、図２１（Ｂ）に示すように、駆動パルスＶ３ｂは第６ラインのＹｅ／Ｃｙ画素にのみ与えられる。
駆動パルスＶ１ａ，Ｖ１ｂ，Ｖ２，Ｖ３ａ，Ｖ３ｂおよびＶ４は、図１９（Ａ）に示すように変化し、この変化は、他の実施例と全く同じである。駆動パルスＶ１ｂは第１列および第２列の第１ラインにのみ与えられるため、これらの列では図１９（Ｂ）に示すように電荷が読み出される。また、駆動パルスＶ３ｂは第３列および第４列の第６ラインにのみ与えられるため、これらの列では、図１９（Ｃ）に示すように電荷が読み出される。そして、それぞれの電荷が個別に垂直転送される。
【００４５】
各ブロックから読み出された画素信号が水平転送レジスタに蓄積される毎に、つまり８ライン分の垂直転送が完了する毎に、図４（Ｂ）に示す駆動パルスＨ１およびＨ２が水平転送レジスタに与えられる。この駆動パルスＨ１およびＨ２に応答して、画素信号が水平方向に転送される。つまり、各ブロックで生成された４画素分の画素信号が、まとめて水平転送される。信号処理回路３４ａは、図１実施例と同様の補間処理を行い、この結果、各画素がすべての色成分を持つ間引き画像データが生成される。
【００４６】
この実施例によれば、各ブロックに対する水平転送処理は１回でよいため、画素信号の読み出しに要する時間を従来よりも短縮することができる。
図２０〜図２２に示すその他の変形例のＣＣＤイメージャ１６にも、補色フィルタ１６ｂが装着される。但し、この実施例では、補色フィルタ１６ｂを４ライン×４列の色ブロックＣＢ２の集まりと考え、ＣＣＤイメージャ１６を色ブロックＣＢ２に対応する画素ブロックＰＢ２の集まりと考える。各ブロックの１ライン目では１列目および２列目の画素信号が読み出され、２ライン目では３列目および４列目の画素信号が読み出される。読み出された画素信号はそれぞれ、Ｇ，Ｍｇ，ＹｅおよびＣｙの色成分を有し、このような画素信号が垂直方向に転送される。４つの画素信号が水平転送レジスタに揃った時点で、つまり４ライン分の垂直転送が完了した時点で、これらの画素信号がまとめて水平方向に転送される。この結果、１回の水平転送によって出力される画素信号に、Ｇ，Ｍｇ，ＹｅおよびＣｙの色成分が繰り返し含まれる。
【００４７】
図２１（Ａ）に示すように、１列目および２列目では、１ライン目のＧ／Ｍｇ画素に駆動パルスＶ１ｂが与えられ、３ライン目のＭｇ／Ｇ画素に駆動パルスＶ１ａが与えられる。また、図２１（Ｂ）に示すように、３列目および４列目では、２ライン目のＹｅ／Ｃｙ画素に駆動パルスＶ３ｂが与えられ、４ライン目のＹｅ／Ｃｙ画素に駆動パルスＶ３ａが与えられる。
【００４８】
駆動パルスＶ１ａ，Ｖ１ｂ，Ｖ２，Ｖ３ａ，Ｖ３ｂおよびＶ４は、図２２（Ａ）に示すように変化し、この変化もまた他の実施例と全く同じである。このような駆動パルスによって、第１列および第２列では図２２（Ｂ）に示すように第１ラインからのみ電荷が読み出され、第３列および第４列では図２２（Ｃ）に示すように第２ラインからのみ電荷が読み出される。そして、それぞれの電荷が個別に垂直転送され、水平転送レジスタに与えられる。水平転送は、４ライン分の垂直転送が完了する毎に行われる。この結果、同じブロックから読み出された４画素分の画素信号が、まとめて出力される。出力された画素信号は信号処理回路３４ａで補間処理を施され、各画素がすべての色成分を持つ間引き画像データが生成される。
【００４９】
この実施例によれば、水平転送の回数が増えるため画素信号の読み出し時間は長くなるが、間引き画像信号の垂直解像度を従来の２倍に向上させることができる。
図２３〜図２５に示すさらにその他の変形例のＣＣＤイメージャ１６にもまた、補色フィルタ１６ｂが装着される。さらに、補色フィルタ１６ｂを４ライン×４列の色ブロックＣＢ２の集まりと考え、ＣＣＤイメージャ１６を色ブロックＣＢ２に対応する画素ブロックＰＢ２の集まりと考える。但し、各ブロックの１ライン目および２ライン目で１列目および２列目の画素信号が読み出され、３ライン目および４ライン目で３列目および４列目の画素信号が読み出される。１列目ではＧおよびＹｅの画素信号が得られ、両画素信号は読み出しと同時に混合される。２列目ではＭｇおよびＣｙの画素信号が読み出され、これらの画素信号も読み出しと同時に混合される。同様に、３列目でＭｇおよびＹｅの画素信号が得られ、４列目でＧおよびＣｙの画素信号が得られる。そして、同じ列の画素信号どうしが混合される。このようにして混合された画素信号が水平転送レジスタに与えられ、４ライン分の垂直転送が完了した時点で、これらの画素信号がまとめて水平方向に転送される。１回の水平転送で出力される画素信号には、（Ｇ＋Ｙｅ），（Ｍｇ＋Ｃｙ），（Ｍｇ＋Ｙｅ）および（Ｇ＋Ｃｙ）の色成分が繰り返し含まれる。
【００５０】
図２４（Ａ）に示すように、１列目および２列目では、駆動パルスＶ１ｂが１ライン目のＧ／Ｍｇ画素に与えられ、駆動パルスＶ３ｂが２ライン目のＹｅ／Ｃｙ画素に与えられる。また、図２４（Ｂ）に示すように、３列目および４列目では、駆動パルスＶ１ｂが３ライン目のＭｇ／Ｇ画素に与えられ、駆動パルスＶ３ｂが４ライン目のＹｅ／Ｃｙ画素に与えられる。
【００５１】
駆動パルスＶ１ａ，Ｖ１ｂ，Ｖ２，Ｖ３ａ，Ｖ３ｂおよびＶ４は、図２５（Ａ）に示すように変化し、この変化もまた他の実施例と全く同じである。第１列および第２列では、図２５（Ｂ）に示すように、期間▲２▼に第２ラインから電荷が読み出され、期間▲５▼に第１ラインから電荷が読み出される。また、第３列および第４列では、図２５（Ｃ）に示すように、期間▲２▼に第４ラインから電荷が読み出され、期間▲５▼に第３ラインから電荷が読み出される。期間▲４▼において駆動パルスＶ１ｂ，Ｖ３ｂおよびＶ４がゼロレベルとなり、期間▲５▼において駆動パルスＶ１ｂがゼロレベルから＋レベルに変化することで、各列で電荷が混合される。混合された電荷は、その後垂直転送され、４ライン分の垂直転送が完了する毎に各電荷が水平転送される。
【００５２】
他の実施例と異なり、ＣＣＤイメージャ１６から出力された画素信号は互いに異なる色成分を混合したものであるため、このような画素信号は信号処理回路３４ｂで補間処理を施される。この結果、各画素がすべての色成分を持つ間引き画像データが生成される。信号処理回路３４ｂは、次のようにしてＹＵＶデータを生成する。Ｙデータは、数１によって求められ、Ｕデータは数２によって求められ、そしてＶデータは数３によって求められる。
【００５３】
【数１】
Ｙ＝｛（Ｇ＋Ｙｅ）＋（Ｍｇ＋Ｃｙ）＋（Ｍｇ＋Ｙｅ）＋（Ｇ＋Ｃｙ）  ｝／４
＝｛（Ｇ＋Ｇ＋Ｇ）＋（Ｒ＋Ｂ＋Ｂ＋Ｇ）＋（Ｒ＋Ｂ＋Ｒ＋Ｇ）＋（Ｇ＋Ｂ＋Ｇ）  ｝／４
＝（４Ｒ＋６Ｇ＋４Ｂ）／４
【００５４】
【数２】
Ｕ＝｛（Ｍｇ＋Ｙｅ）−（Ｇ＋Ｃｙ）｝
＝｛（Ｒ＋Ｂ＋Ｒ＋Ｇ）−（Ｇ＋Ｂ＋Ｇ）｝
＝２Ｒ−Ｇ
【００５５】
【数３】
Ｖ＝｛（Ｇ＋Ｙｅ）−（Ｍｇ−Ｃｙ）｝
＝｛（Ｇ＋Ｇ＋Ｒ）−（Ｒ＋Ｂ＋Ｂ＋Ｇ）｝
＝Ｇ−２Ｂ
この実施例によれば、水平転送の回数が増えるため画素信号の読み出し時間は長くなるが、間引き画像信号の垂直解像度を従来の２倍に向上させることができる。なお、この実施例では２×４マトリクスの補色フィルタ１６ｂを用いて説明したが、読み出しされる画素は２×２マトリクスを構成しているため、補色フィルタ１６ｂの代わりに補色フィルタ１６ａを用いてもよい。また、この実施例では垂直転送レジスタ上で画素混合を行っているが、画素混合は水平転送フィルタ上で行ってもよい。
【００５６】
図２６〜図２８を参照して、他の変形例のＣＣＤイメージャ１６には、図２に示す補色フィルタ１６ａが装着される。但し、この実施例では、補色フィルタ１６ａを１２ライン×４列の色ブロックＣＢ３の集まりと考え、ＣＣＤイメージャ１６を色ブロックＣＢ３に対応する画素ブロックＰＢ３の集まりと考える。各ブロックの第１ラインでは第１列および第２列の画素信号が読み出され、第８ラインでは第３列および第４列の画素信号が読み出される。この結果、読み出された画素信号はそれぞれ、Ｇ，Ｍｇ，ＹｅおよびＣｙの色成分を有する。このような画素信号が垂直方向に転送され、１２ライン分の垂直転送が完了した時点で、これらの画素信号がまとめて水平方向に転送される。１回の水平転送で出力される画素信号には、Ｇ，Ｍｇ，ＹｅおよびＣｙの色成分がこの順序で含まれる。
【００５７】
各ブロックの第１列および第２列では、図２７（Ａ）に示すように、第１ラインのＧ／Ｍｇ画素に駆動パルスＶ１ｂが与えられる。一方、第３列および第４列では、図２７（Ｂ）に示すように、駆動パルスＶ３ｂが第８ラインのＹｅ／Ｃｙ画素に与えられる。
駆動パルスＶ１ａ，Ｖ１ｂ，Ｖ２，Ｖ３ａ，Ｖ３ｂおよびＶ４は、図３４（Ａ）に示すように変化し、この変化は他の実施例と全く同じである。駆動パルスＶ１ｂが第１列および第２列の第１ラインのＧ／Ｍｇ画素に与えられるため、電荷は、図２８（Ｂ）に示すように第１ラインから読み出される。また、駆動パルスＶ３ｂが第３列および第４列の第８ラインのＹｅ／Ｃｙ画素に与えられるため、電荷は、図３４（Ｃ）に示すように第８ラインから読み出される。
【００５８】
読み出された電荷は個別に垂直転送され、その後図４（Ｂ）に示す駆動パルスＨ１およびＨ２によって、１２ラインに１回のタイミングで水平転送される。この結果、各ブロックから読み出されたＧ，Ｍｇ，ＹｅおよびＣｙの画素信号が、まとめて出力される。出力された画素信号に対応する画素データは、信号処理回路３４ａで補間処理を施され、この結果、各画素がすべての色成分を持つ間引き画像データが生成される。
【００５９】
この実施例によれば、各ブロックに対する水平転送処理は１回でよく、かつ１ブロックを構成する垂直画素数が大きいため、画素信号の読み出しに要する時間を大きく短縮することができる。
図２９から図３１を参照して、その他の変形例のＣＣＤイメージャ１６には、図２に示す補色フィルタ１６ａが装着される。この実施例では、補色フィルタ１６ａを６ライン×４列の色ブロックＣＢ４の集まりと考え、ＣＣＤイメージャ１６を色ブロックＣＢ４に対応する画素ブロックＰＢ４の集まりと考える。各ブロックの第１ラインでは第１列および第２列の画素信号が読み出され、第４ラインでは第３列および第４列の画素信号が読み出される。この結果、読み出された画素信号はそれぞれ、Ｇ，Ｍｇ，ＹｅおよびＣｙの色成分を有する。このような画素信号が垂直方向に転送され、６ライン分の垂直転送が完了した時点で、これらの画素信号がまとめて水平方向に転送される。図２６〜図２８実施例と同様に、１回の水平転送で出力される画素信号には、Ｇ，Ｍｇ，ＹｅおよびＣｙの色成分がこの順序で含まれる。
【００６０】
各ブロックの第１列および第２列では、図３０（Ａ）に示すように、第１ラインのＧ／Ｍｇ画素に駆動パルスＶ１ｂが与えられる。一方、第３列および第４列では、図３０（Ｂ）に示すように、駆動パルスＶ３ｂが第４ラインのＹｅ／Ｃｙ画素に与えられる。
駆動パルスＶ１ａ，Ｖ１ｂ，Ｖ２，Ｖ３ａ，Ｖ３ｂおよびＶ４は、他の実施例と同様に、図３１（Ａ）に示すように変化する。駆動パルスＶ１ｂが第１列および第２列の第１ラインのＧ／Ｍｇ画素に与えられるため、電荷は、図３１（Ｂ）に示すように第１ラインから読み出される。また、駆動パルスＶ３ｂが第３列および第４列の第４ラインのＹｅ／Ｃｙ画素に与えられるため、電荷は、図３１（Ｃ）に示すように第４ラインから読み出される。
【００６１】
読み出された電荷は個別に垂直転送された後、６ラインに１回のタイミングで水平転送される。この結果、各ブロックに対応するＧ，Ｍｇ，ＹｅおよびＣｙの画素信号が、まとめて出力される。出力された画素信号に対応する画素データは、信号処理回路３４ａで図２６〜図２８実施例と同様の補間処理を施され、この結果、各画素がすべての色成分を持つ間引き画像データが生成される。
【００６２】
この実施例によれば、各ブロックに対する水平転送処理は１回でよいため、画素信号の読み出しに要する時間を短縮することができる。また、ＧおよびＭｇの画素信号を読み出すラインとＹｅおよびＣｙの画素信号を読み出すラインとの距離が均一であるため、折り返し特性が一定となり、フィルタリングが容易になる。
【００６３】
なお、この実施例では補色フィルタ１６ａを用いるようにしたが、補色フィルタ１６ｂを用いた場合でも同じ動作を実現できる。また、この実施例では、各ブロックに含まれる各列から読み出す画素信号を１つとしているが、画素信号を読み出すライン間の距離が均一となる限り、各列から複数の画素信号を読み出すようにしてもよい。つまり、読み出しの対象となる画素を変更せずに、補色フィルタ１６ａを１２ライン×４列の色ブロックＣＢ３の集まりと考え、ＣＣＤイメージャ１６を色ブロックＰＢ３に対応する画素ブロックＰＢ３の集まりと考えればよい。
【００６４】
さらに、以上の９つの実施例では、カメラモードにおいてのみ間引き読み出しを行っているが、この発明は間引き画像データを記録する場合にも適用できることは言うまでもない。
【図面の簡単な説明】
【図１】この発明の１実施例を示すブロック図である。
【図２】補色フィルタの１例を示す図解図である。
【図３】補色フィルタの他の１例を示す図解図である。
【図４】（Ａ）はＣＣＤイメージャの一部を示す図解図であり、（Ｂ）は駆動パルスの動作を示すタイミング図である。
【図５】ＣＣＤイメージャの動作を示す図解図である。
【図６】（Ａ）は図５に示すＣＣＤイメージャの一部を示す図解図であり、（Ｂ）は図５に示すＣＣＤイメージャの他の一部を示す図解図である。
【図７】（Ａ）は駆動パルスの動作を示すタイミング図であり、（Ｂ）および（Ｃ）は電荷の転送状態を示す図解図である。
【図８】他のＣＣＤイメージャの動作を示す図解図である。
【図９】（Ａ）は図８に示すＣＣＤイメージャの一部を示す図解図であり、（Ｂ）は図８に示すＣＣＤイメージャの他の一部を示す図解図である。
【図１０】（Ａ）は駆動パルスの動作を示すタイミング図であり、（Ｂ）および（Ｃ）は電荷の転送状態を示す図解図である。
【図１１】その他のＣＣＤイメージャの動作を示す図解図である。
【図１２】（Ａ）は図１１に示すＣＣＤイメージャの一部を示す図解図であり、（Ｂ）は図１１に示すＣＣＤイメージャの他の一部を示す図解図である。
【図１３】（Ａ）は駆動パルスの動作を示すタイミング図であり、（Ｂ）および（Ｃ）は電荷の転送状態を示す図解図である。
【図１４】さらにその他のＣＣＤイメージャの動作を示す図解図である。
【図１５】（Ａ）は図１４に示すＣＣＤイメージャの一部を示す図解図であり、（Ｂ）は図１４に示すＣＣＤイメージャの他の一部を示す図解図である。
【図１６】（Ａ）は駆動パルスの動作を示すタイミング図であり、（Ｂ）および（Ｃ）は電荷の転送状態を示す図解図である。
【図１７】他のＣＣＤイメージャの動作を示す図解図である。
【図１８】（Ａ）は図１７に示すＣＣＤイメージャの一部を示す図解図であり、（Ｂ）は図１７に示すＣＣＤイメージャの他の一部を示す図解図である。
【図１９】（Ａ）は駆動パルスの動作を示すタイミング図であり、（Ｂ）および（Ｃ）は電荷の転送状態を示す図解図である。
【図２０】その他のＣＣＤイメージャの動作を示す図解図である。
【図２１】（Ａ）は図２０に示すＣＣＤイメージャの一部を示す図解図であり、（Ｂ）は図２０に示すＣＣＤイメージャの他の一部を示す図解図である。
【図２２】（Ａ）は駆動パルスの動作を示すタイミング図であり、（Ｂ）および（Ｃ）は電荷の転送状態を示す図解図である。
【図２３】さらにその他のＣＣＤイメージャの動作を示す図解図である。
【図２４】（Ａ）は図２３に示すＣＣＤイメージャの一部を示す図解図であり、（Ｂ）は図２３に示すＣＣＤイメージャの他の一部を示す図解図である。
【図２５】（Ａ）は駆動パルスの動作を示すタイミング図であり、（Ｂ）および（Ｃ）は電荷の転送状態を示す図解図である。
【図２６】他のＣＣＤイメージャの動作を示す図解図である。
【図２７】（Ａ）は図２６に示すＣＣＤイメージャの一部を示す図解図であり、（Ｂ）は図２６に示すＣＣＤイメージャの他の一部を示す図解図である。
【図２８】（Ａ）は駆動パルスの動作を示すタイミング図であり、（Ｂ）および（Ｃ）は電荷の転送状態を示す図解図である。
【図２９】他のＣＣＤイメージャの動作を示す図解図である。
【図３０】（Ａ）は図２９に示すＣＣＤイメージャの一部を示す図解図であり、（Ｂ）は図２９に示すＣＣＤイメージャの他の一部を示す図解図である。
【図３１】（Ａ）は駆動パルスの動作を示すタイミング図であり、（Ｂ）および（Ｃ）は電荷の転送状態を示す図解図である。
【図３２】従来のＣＣＤイメージャの動作を示す図解図である。
【符号の説明】
１０  …ディジタルカメラ
１４  …撮像装置
１６  …ＣＣＤイメージャ
１６ａ，１６ｂ  …補色フィルタ
１８  …タイミングジェネレータ
３４ａ，３４ｂ  …信号処理回路
３６  …モニタ
【図１】
0003545230.tif 000002
【図２】
0003545230.tif 000003
【図３】
0003545230.tif 000004
【図４】
0003545230.tif 000005
【図５】
0003545230.tif 000006
【図６】
0003545230.tif 000007
【図７】
0003545230.tif 000008
【図８】
0003545230.tif 000009
【図９】
0003545230.tif 000010
【図１０】
0003545230.tif 000011
【図１１】
0003545230.tif 000012
【図１２】
0003545230.tif 000013
【図１３】
0003545230.tif 000014
【図１４】
0003545230.tif 000015
【図１５】
0003545230.tif 000016
【図１６】
0003545230.tif 000017
【図１７】
0003545230.tif 000018
【図１８】
0003545230.tif 000019
【図１９】
0003545230.tif 000020
【図２０】
0003545230.tif 000021
【図２１】
0003545230.tif 000022
【図２２】
0003545230.tif 000023
【図２３】
0003545230.tif 000024
【図２４】
0003545230.tif 000025
【図２５】
0003545230.tif 000026
【図２６】
0003545230.tif 000027
【図２７】
0003545230.tif 000028
【図２８】
0003545230.tif 000029
【図２９】
0003545230.tif 000030
【図３０】
0003545230.tif 000031
【図３１】
0003545230.tif 000032
【図３２】
0003545230.tif 000033